(57)【要約】  アンビライトテレビ、即ち、視聴体験を向上させるために導入された光又は照明システムの実施形態が開示されている。システムは、脚部がディスプレイスクリーンの３つ又は４つの縁部に空間的に対応する１又は２つのＵ字状の光ガイドを有する。一実施形態において、光源は、壁のような、テレビの背後のバックグラウンド表面を照らす。他の実施形態において、光源は、実質的に同一の平面エリアにおけるディスプレイスクリーンの周りに設けられ、前方に光を放射する。更なる他の実施形態において、光源は、ディスプレイスクリーンのピクセルエリアと光又は照明システムの前部との間のダークエリアを直接的又は／及び間接的に照らすように設けられる。
2010515393.tif 000002
【特許請求の範囲】
【請求項１】
ビデオ画像を提示するディスプレイスクリーンと、前記ディスプレイスクリーンのピクセルエリアを取り囲むパネルリムとを有するディスプレイデバイスであって、
前記ディスプレイスクリーン上の前記ビデオ画像の視聴を向上させるための照明及び／又は光効果を生成する、光又は照明システムの少なくとも１つの光源を有し、
前記少なくとも１つの光源は、前記ディスプレイスクリーンの前記ピクセルエリアと前記光又は照明システムの前部との間のダークエリアを直接的又は／及び間接的に照らし、これにより、前記パネルリムの前記エリアを照明でカバーする、ディスプレイデバイス。
【請求項２】
前記少なくとも１つの光源は、Ｕ字状の光ガイドであり、
少なくとも１つの前記光ガイドの脚部は、前記ディスプレイスクリーンの各縁部に空間的に対応する、請求項１に記載のディスプレイデバイス。
【請求項３】
第２のＵ字状の光ガイドを有し、
２つの前記光ガイドは、前記ディスプレイスクリーンを取り囲む閉じた形状を形成する、請求項２に記載のディスプレイデバイス。
【請求項４】
前記少なくとも１つの光源は、前記ディスプレイスクリーンと実質的に同一の方向に光を放射する、請求項１に記載のディスプレイデバイス。
【請求項５】
前記少なくとも１つの光源は、前記ディスプレイスクリーンの背後の表面を照らす、請求項１〜４のうちいずれか一項に記載のディスプレイデバイス。
【請求項６】
前記少なくとも１つの光源は、前記ディスプレイスクリーンのピクセルエリアと前記光又は照明システムの前部との間の前記ダークエリアを照らし、これにより、前記パネルリムのエリアを照明でカバーするために、前記光又は照明システムの拡散体及び反射体のうち少なくとも１つと連携する、請求項１に記載のディスプレイデバイス。
【請求項７】
ディスプレイデバイス上にビデオ画像を表示する方法であって、
前記ディスプレイデバイスのディスプレイスクリーン上に前記ビデオ画像を表示するステップと、
前記ディスプレイシステム上の前記ビデオ画像の視聴を向上させるために、光又は照明システムの少なくとも１つの光源の支援で照明及び／又は光効果を生成するステップとを有し、
前記少なくとも１つの光源は、前記ディスプレイスクリーンのピクセルエリアと前記光又は照明システムの前部との間のダークエリアを照らし、これにより、パネルリムの前記エリアを照明でカバーする、方法。
【請求項８】
前記少なくとも１つの光源は、前記ディスプレイスクリーンと実質的に同一の方向に光を放射する、請求項７に記載の方法。
【請求項９】
前記少なくとも１つの光源は、前記ディスプレイスクリーンの背後の表面を照らす、請求項７又は請求項８に記載の方法。
【請求項１０】
前記少なくとも１つの光源は、前記ディスプレイスクリーンの前記ピクセルエリアと前記光又は照明システムの前部との間の前記ダークエリアを照らし、これにより、前記パネルリムの前記エリアを照明でカバーするために、前記光又は照明システムの拡散体及び反射体のうち少なくとも１つと連携する、請求項７に記載の方法。
【発明の詳細な説明】
【技術分野】
【０００１】
本発明は、アンビライトディスプレイ装置に関する。
【背景技術】
【０００２】
最近、フィリップスは、テレビの背後の壁を照らすための後方光源を備えたテレビ受信機ディスプレイスクリーンであるアンビライトテレビを導入した。光の色をビデオ画像のコンテンツに自動的に適合させることにより、アンビライトは、視聴者に対してより夢中になれる視聴体験を提供した。初期バージョンのアンビライトテレビは、左縁部及び右縁部の照明を縁部毎に１つの色で供給していた。その後、上縁部及び底縁部の光源が取り付けられたが、依然として縁部毎に１つの色で供給していた。
【発明の概要】
【発明が解決しようとする課題】
【０００３】
最近フィリップスにより導入されたアンビライトソリューションは、世界中に多大な成功を享受した。しかしながら、視聴者の要求、欲求及び需要の膨大な及び増加する多様性により、既存のアンビライトソリューションを更に発展させること、及び／又は、新たなものを作り出すことが必要である。
【０００４】
本発明は、選り好みした視聴者を更に満足させようとする。
【課題を解決するための手段】
【０００５】
現在のアンビライトソリューションの１つの限界は、ディスプレイスクリーンのピクセルエリアと光又は照明システムの前部との間、例えば、ディスプレイスクリーンのピクセルエリアと前記光又は照明システムのベゼル又は拡散体との間にダークエリアが存在することである。照らされないディスプレイデバイスのパネルリムは、視聴者に対して熱中できる視聴体験をある程度低減させ得る。
【０００６】
現在のアンビライトソリューションの他の限界は、各縁部が、光ガイド又は光源（ＬＥＤ）アレイのいずれかのような、別個の光又は照明システムを持つと考えられていることである。全周型システムは、全体コストを増大させる、これら自身の電気的及び機械的な装置を備えた４つの別個の光又は照明システムを有するだろう。
【０００７】
本発明の目的は、ディスプレイスクリーン上のビデオ画像の視聴を更に向上させることであると見られるだろう。本発明によれば、これは、ディスプレイスクリーンのピクセルエリアと光又は照明システムの前部との間（例えば、ディスプレイスクリーンのピクセルエリアとベゼル又は拡散体との間）のダークエリアを直接的又は／及び間接的に照らし、これにより、パネルリムの前記エリアを照明でカバーすることにより達成され得る。
【０００８】
本発明の目的は、アンビライトテレビのコンセプトを更に簡素及び節約することであるとも見られるだろう。本発明によれば、これは、少なくとも１つのＵ字状の光ガイドを備え、光ガイドの脚部がディスプレイスクリーンの各縁部に空間的に対応するディスプレイシステムを提供することにより達成され得る。これにより、ディスプレイスクリーンの３つの縁部が、前記Ｕ字の各端部に１つずつの２つの光源（好ましくはＬＥＤ）のみで照らされ得ることを実現する。これは、全体のシステムに対して非常に簡素なインフラを要求とし、それ故、コストを大幅に削減する。それ故、魅力的なアンビライトテレビの特徴が、低価格のテレビ、ディスプレイ及び／又はモニタの分野において手頃に行われると思われる。
【０００９】
一の取り得る実施形態において、２つのＵ字状の光ガイドは、これらが一緒に閉じた楕円状の形状を形成する構成で用いられる。この場合において、"全周型"（ディスプレイデバイス又はテレビの全ての縁部）のアンビライトテレビシステムは、手頃なコストで実現される。２つのＵ字状の光ガイドの４つの端部は、光源、例えばＬＥＤによりそれぞれ駆動される。ＬＥＤは、背中合わせに置かれて、同一の信号を受信し得る。光源は、ディスプレイ装置又はディスプレイデバイスの背後の表面、例えば壁を照らすように設けられ得る。
【００１０】
代わりに又は追加的に、他の可能な実施形態において、光源は、ディスプレイ装置の前方に光を放射するように設けられ得る。これは、ベゼル照明を備えたアンビライトと呼ばれる。これは、スクリーンの近隣周りにオーラを作り出し、より明るい照明を伴う環境においてより可視的になる。その上、これは、モニタのような、光を反射するための壁の近傍にないデバイスに対してアンビライトを可能にする。
【００１１】
代わりに又は追加的に、ディスプレイスクリーンのピクセルエリアとディスプレイ装置の周りに全体的又は部分的に設けられる光又は照明システムの前部との間のダークエリアを、直接的又は／及び間接的に照らすように設けられた光源を持つことも可能であり、これにより、パネルリムの前記エリアを照明で完全に又は部分的にカバーする。
【００１２】
代わりに又は追加的に、前述したダークエリアの前記直接又は／及び間接照明を実現するために、反射体若しくは拡散体又はこれらの双方と更に連携するように設けられた光源を持つことも可能である。これは、光又は照明システムの異なる構造の問題である。
【００１３】
本発明の主要な特徴は、独立項に記載されている。
【００１４】
本発明の追加の特徴は、従属項に示されている。
【００１５】
本発明のこれら並びに他の目的、態様、特徴及び／又は利点は、後述する実施形態を参照して説明され、明らかになるだろう。
【００１６】
本発明の実施形態は、図面を参照して、単なる例示により示されるだろう。
【図面の簡単な説明】
【００１７】
【図１】縁部毎に１つで左縁部及び右縁部への照明を提供するアンビライトテレビの初期バージョンを示している。
【図２】"全周型"のアンビライトシステムを示している。
【図３】光又は照明システムを持つディスプレイ装置の断面を示している。
【図４】異なる光又は照明システムを持つ他のディスプレイ装置の断面を示している。
【図５】１つのＵ字状の光ガイドを用いた光又は照明システムを示している。
【図６】４つの光源により駆動された２つのＵ字状の光ガイドを用いた全周型の光又は照明システムの一例を示している。
【図７】４つの光源により駆動された２つのＵ字状の光ガイドを用いた全周型の光又は照明システムの他の例を示している。
【図８】２つの背中合わせの光源により駆動された１つのＯ形状の光ガイドを用いた全周型の光又は照明システムの更に他の例を示している。
【図９ａ】光又は照明システムで用いられ得る２つの光ガイドの異なる形状を示している。
【図９ｂ】光又は照明システムで用いられ得る２つの光ガイドの異なる形状を示している。
【図１０】図９ｂで示された２つの光ガイドを用いた全周型の光又は照明システムの他の例を示している。
【発明を実施するための形態】
【００１８】
図１は、左縁部及び右縁部に照明を供給するアンビライトテレビの既存のバージョンを示している。
【００１９】
"全周型"アンビライトテレビシステムが図２に示されている。この場合において、ディスプレイ装置の全ての縁部は、光又は照明システムにより取り囲まれている。
【００２０】
ディスプレイ装置は、任意のテレビ、モニタ、ディスプレイ、スクリーン、又は、画像が表示及び／若しくは投射され得る任意の他の適切な装置であってもよい。
【００２１】
本発明は、制御された態様において光ガイドの外へ光を出すためのパターン（例えば、散乱パターン）を持つ線状の光ガイド、例えば大きなＰＭＭＡチューブの原理に基づき得る。光ガイドの原理は良く知られている。点状の光源は、高反射率（磨かれた）表面を持つ透明な材料に出力する。この材料は、所望の方向及び所望のビーム形状についての制御された態様において放出された光を持つために、ホワイトパターンで塗られるか、又は、機械的に凹凸にされる。
【００２２】
ベゼル照明を備えたディスプレイデバイスは、ＬＣＤ、プラズマ若しくは任意の他のパネル、又は、投射された画像のような任意の他の画像レンダリング表面であるスクリーン１０（上が前側）を有する図３に示されている。スクリーン１０の周りには、拡散体６０及び／又は反射体５０は、キャビティ８０を形成するように設けられ又は配置され得る。このキャビティ８０において、光源３０は、光ガイド、又はＬＥＤのアレイの形式で取り付けられる。光源３０からの光４０は、透明な拡散体６０を出る前に、光の一様な広がりを確実にするためにキャビティ８０の表面に当たる。光源３０、必要ではないが好ましくは、円形の断面を持つ光ガイドは、透明な拡散体６０の直接的な照明なしに、艶消しホワイト反射体５０が全体的に照らされる態様において光４０を発するためのパターンを持つ。図３及び４は、２つの代替実施形態の断面を示している。
【００２３】
図４に示された取り得る実施形態は、スクリーン１０のピクセルエリアと光又は照明システムの前部、例えばベゼルとの間のダークエリアの限界を持たない。この取り得る実施形態において、純粋な光源、例えばＬＥＤである少なくとも１つの光源２０、及び／又は光ガイド３０は、ディスプレイスクリーン１０のピクセルエリアと光又は照明システムの前部、例えば拡散体６０との間のダークエリア７０を直接的に（又は、例えば他の反射体を経由して間接的に）照らすように設けられ、これにより、パネルリム７０の前記エリアを照明でカバーする。この実施形態において、光源は、光源がパネルリム７０を直接的に照らすのを可能にするために、ディスプレイスクリーン１０の周り、及び、スクリーン１０の平面エリアの前部において完全に又は部分的に設けられるか又は配置される。
【００２４】
半分又はそれ以上の光がディスプレイデバイスのバックグラウンドに向けられ、半分又はそれよりも少ない光が拡散体６０に向けられ、それ故、ベゼルの前部を照らす態様において、光源２０，３０からの光を２つに分割可能な窓部（図示省略）を有する反射体５０を持つことも可能である。
【００２５】
図５は、１つのＵ字状の光ガイド３０を用いた本発明による光又は照射システムを示している。マルチカラーＬＥＤ光源２０は、光ガイド３０の各端部に備えられる。この態様において、ディスプレイデバイス又は装置の３つの縁部は、１つの光ガイド３０及び２つの光源２０だけの支援で照らされ、それ故、光又は照明システムを大いに簡素化し、コストを削減する。
【００２６】
図６及び７は、２つのグループにおいて設けられた４つの光源２０´（例えばＬＥＤ）により駆動された２つのＵ字状の光ガイド３０´（図６）、３０´´（図７）を用いた全周型の光又は照明システムの２つの例を示している。各グループにおいて、２つの光源２０´は、背中合わせの構成で設けられ、同一の信号を受信し得る。光源２０´は、異なる制御信号、例えば、（図７において）スクリーン１０上の画像の上部分から導出された１つの信号と底部分から導出された１つの信号とを受信してもよい。
【００２７】
代わりに、図８に示すように、完全なループが、スクリーン１０を取り囲むＯ形状の光ガイド３１を用いて、２つの背中合わせの光源２０´だけで構成されてもよい。
【００２８】
図９ａ及び９ｂは、開口したＯ形状及び４つの湾曲部を持つ２つの異なる形状の光ガイド３１´，３１´´を示している。図９ａに示された光ガイド３１´の開口したＯ形状の開口部は小さく、小さなスクリーンサイズに関して、この光ガイド３１´は、２つのＬＥＤ（図示省略）だけで全体を取り囲むための良好なソリューションとなり得る。図９ｂに示された光ガイド３１´´は、図９ａのものよりも、開口したＯ形状の大きな開口部を持つ。この光ガイド３１´´は、光又は照明システムにおいて単一で用いられ得るが、全周型のソリューションに関する図１０に示されたペアの構成を用いることも可能である。２つ（各縁部に１つ）又は４つ（各縁部に２つ）のＬＥＤ（図示省略）が、全周型の光又は照明システムにおいて用いられてもよい。互いに近接するＬＥＤは、同一色を持ってもよいが、異なる色でもよい（例えば、マルチカラーＬＥＤ）。
【００２９】
効果が大きく低下される明るい照明環境においては、スクリーンの周りに淡い色をもたらすアンビライトを実施することは困難であることが理解される。特に、店の環境において、この効果は、非常に望ましくない。斯様な環境において、自己照射表面は、光が投射されるキャンバスのような照らされた表面よりも非常に良好な可視性を持つと思われる。
【００３０】
これを考慮して、Ｕ字状の光ガイドは、ディスプレイデバイスのベゼルを照らすように設けられ得る。ベゼル照射は、スクリーンの近隣周りにオーラを作り出し、これは、より明るい照明を伴う環境においてより可視的である。また、アンビライトの可能性は、モニタのように光を反射するために壁の近傍にないデバイスにも役立つ。人々は、ＰＣ及びモニタで仕事する一方で、よりリラックスした視聴体験の間、スクリーンの周りの光フレームを認識することが理解される。ベゼル照明を備えたモニタは、より熱中することを期待するゲームプレイヤに特に適している。
【００３１】
本発明は、以下のように要約され得る。アンビライトディスプレイ装置、即ち、視聴体験を向上させるために導入された光又は照明システムの更なる改良が開示されている。システムは、脚部がディスプレイスクリーンの３つ又は４つの縁部に空間的に対応する１又は２つのＵ字状の光ガイドを有し得る。一の取り得る実施形態において、光源は、壁のような、ディスプレイデバイス又はテレビの背後のバックグラウンド表面を照らす。他の取り得る実施形態において、光源は、実質的に同一の平面エリアにおけるディスプレイスクリーン／ディスプレイデバイスの周りに設けられ、バックグラウンド照明単独又はバックグラウンド照明との組み合わせのいずれかで前方に光を放射する。更なる他の実施形態において、純粋な光源（例えばＬＥＤ）である少なくとも１つの光源、及び／又は光ガイドは、ディスプレイスクリーンのピクセルエリアと光又は照明システムの前部との間のダークエリアを直接的又は／及び間接的に照らすように設けられ、これにより、ディスプレイデバイス又は装置のパネルリムの前記エリアを照明でカバーする。
【００３２】
本発明は、好ましい実施形態に関して説明されているが、ここで説明された特定の形式に限定されるものではない。むしろ、本発明の範囲は、特許請求の範囲によってのみ限定される。
【００３３】
このセクションにおいて、開示された実施形態の或る特別な詳細は、本発明の明確な及び完全な理解を提供するために、限定よりむしろ説明の目的のために示されている。しかしながら、本発明が、この開示の精神及び範囲から著しく逸脱することなく、ここで説明された詳細に正確に適合しない他の実施形態において実施され得ることは、当業者により容易に理解されるだろう。更に、この文脈において、簡潔さ及び明確さのために、良く知られた装置、回路及び手法の詳細な説明は、不必要な詳細及び起こり得る混同を避けるために省略されている。
【００３４】
特許請求の範囲において、"有する"という用語は、他の要素又はステップの存在を除外するものではない。加えて、別個の特徴が異なる請求項に含まれ得るが、これらは、場合によっては有利に組み合わせられても良く、異なる請求項における包含は、特徴の組み合わせが実現可能及び／又は有利ではないことを意味するものではない。加えて、単数は、複数を除外するものではない。それ故、"第１"、"第２"等の表記は、複数を排除するものではない。参照符号が特許請求の範囲に含まれるが、参照符号の包含は、明確さの理由のためだけであり、特許請求の範囲を限定するものとして考慮されるべきではない。
【図１】
2010515393.tif 000003
【図２】
2010515393.tif 000004
【図３】
2010515393.tif 000005
【図４】
2010515393.tif 000006
【図５】
2010515393.tif 000007
【図６】
2010515393.tif 000008
【図７】
2010515393.tif 000009
【図８】
2010515393.tif 000010
【図９ａ】
2010515393.tif 000011
【図９ｂ】
2010515393.tif 000012
【図１０】
2010515393.tif 000013
【国際調査報告】
2010515393.tif 000014
2010515393.tif 000015